(57)【特許請求の範囲】
【請求項１】
レンズ付きフイルムユニットの前面に紙製のスペーサシートを被せ、このスペーサシートとともにレンズ付きフイルムユニットをプラスチック製のシート材でピロー包装して密封するレンズ付きフイルムユニットの包装方法において、
前記スペーサシートの表面に表示を施すとともに、前記シート材の少なくとも一部に透明部を設け、密封した状態でスペーサシートの前記表示が外部から観察できるようにしたことを特徴とするレンズ付きフイルムユニットの包装方法。
【請求項２】
前記スペーサシートに切り込み線を入れ、前記表示が施された部分を切り離すことができるようにしたことを特徴とする請求項１記載のレンズ付きフイルムユニットの包装方法。
【請求項３】
レンズ付きフイルムユニットの前面側に紙製のスペーサシートを被せ、このスペーサシートとともにレンズ付きフイルムユニットをプラスチック製のシート材でピロー包装して密封するレンズ付きフイルムユニットの包装方法において、
前記レンズ付きフイルムユニットの前面側を覆う前記シート材の一部に透明部を設けるとともに、この透明部に対応するスペーサシートの表裏面に外観デザインを構成するデザイン表示と、このデザイン表示の表示内容や関連情報を表す説明表示とをそれぞれ施し、スペーサシートの表裏面の少なくとも一方の面のシート材の不透明部に対応する部分に、レンズ付きフイルムユニットの取扱説明や使用上の注意を表す機能表示を施して、密封した状態で、レンズ付きフイルムユニットの前面側に表れるように被せたスペーサシートのデザイン表示がシート材の外部から透明部を通して観察でき、前記機能表示がシート材の不透明部によって覆われるようにしたことを特徴とするレンズ付きフイルムユニットの包装方法。
【請求項４】
前記スペーサシートに前記デザイン表示が施された部分に切り込み線を入れ、デザイン表示が施された部分を切り離すことができるようにしたことを特徴とする請求項３記載のレンズ付きフイルムユニットの包装方法。
【発明の詳細な説明】
【０００１】
【発明の属する技術分野】
本発明は、レンズ付きフイルムユニットの前面にスペーサシートを被せ、このスペーサシートとともにレンズ付きフイルムユニットをプラスチック製のシート材でピロー包装して密封するレンズ付きフイルムユニットの包装方法に関するものである。
【０００２】
【従来の技術】
レンズ付きフイルムユニットは、撮影レンズやシャッタ機構を備え予め写真フイルムが装填されたユニット本体と、これを覆う外装体とで構成されており、誰にでも簡単に撮影が可能なことから一般に広く利用されている。
【０００３】
このようなレンズ付きフイルムユニットは、その製造過程で写真フイルムが装填されてしまうため、製造後、実際ユーザーが使用するまでの間、装填された写真フイルムを湿気や塵などから保護しておく必要がある。このためレンズ付きフイルムユニットは、メーカーから出荷されるときに防湿機能をもった包装袋で個々に包装されて販売されている。包装袋の外観には、レンズ付きフイルムユニットの種類を示すために、内部に包装するレンズ付きフイルムユニットの種類に応じて異なったデザインの印刷が施されている。そして、レンズ付きフイルムユニットの使用時にはユーザーがこの包装袋を開封するようにしている。
【０００４】
レンズ付きフイルムユニットの包装袋に用いられる素材としては、良好な印刷性を有するポリ塩化ビニリデン系合成繊維からなるフイルム（サランフイルム）を用いるのが検討されていたが、防湿性が不充分であり、黄ばんでいるため、現在では、アルミニウムシートと樹脂製のシートとを積層したものが利用されている。例えば、アルミニウムシートの表裏にポリエチレン（ＰＥ）層を設け、更に表面には印刷インキ層及びポリエチレンテレフタート（ＰＥＴ）層、裏面にはエチレン酢酸ビニル共重合樹脂（ＥＶＡ）層を設けた包装材料が多用されている。このような包装材料は、防湿機能が高く、レンズ付きフイルムユニットの包装袋に用いる素材として好適である。
【０００５】
【発明が解決しようとする課題】
しかしながら、アルミニウムシートを包装材として用いる場合には、アルミニウムが銀白色で不透明な金属であることから、上述したように表面側の前面に化粧用の印刷を施して包装袋の外観を綺麗にする必要があるため、包装袋の外観を多種類化するには、印刷版を何種類も用意する必要がある。また印刷版を新たに作成するのにも時間を必要とするため、コストアップを招き、多品種を少量製造する場合には非常に効率が悪かった。
【０００６】
本発明は上述した従来技術のもつ欠点を解決するためになされたもので、包装袋の防湿性を損なうことなく、効率的に、かつ安価に多品種化できるようにしたレンズ付きフイルムユニット用包装方法を提供することを目的とする。
【０００７】
【課題を解決するための手段】
上記目的を達成するために、請求項１記載の発明では、スペーサシートの表面に表示を施すとともに、シート材の少なくとも一部に透明部を設け、密封した状態でスペーサシートの表示が外部から観察できるようにしたものである。請求項２記載の発明では、スペーサシートに切り込み線を入れ、表示が施された部分を切り離すことができるようにした。
【０００８】
請求項３記載の発明では、レンズ付きフイルムユニットの前面側を覆うシート材の一部に透明部を設けるとともに、この透明部に対応するスペーサシートの表裏面に外観デザインを構成するデザイン表示と、このデザイン表示の表示内容や関連情報を表す説明表示とをそれぞれ施し、スペーサシートの表裏面の少なくとも一方の面のシート材の不透明部に対応する部分に、レンズ付きフイルムユニットの取扱説明や使用上の注意を表す機能表示を施して、密封した状態で、レンズ付きフイルムユニットの前面側に表れるように被せたスペーサシートのデザイン表示がシート材の透明部を通して外部から観察でき、機能表示がシート材の不透明部によって覆われるようにしたものである。
【０００９】
請求項４記載の発明では、スペーサシートにデザイン表示が施された部分に切り込み線を入れ、デザイン表示が施された部分を切り離すことができるようにしたものである。
【００１０】
【発明の実施の形態】
以下、本発明の実施の形態を説明する。図４はレンズ付きフイルムユニットの斜視図を示している。レンズ付きフイルムユニット２は、簡単な撮影機構を備え、予め新品の写真フイルムパトローネを装填したユニット本体３に、裏面に粘着剤を塗布した外装用のプラスチック製のラベル４を貼付して粘着固定したものである。ユニット本体２の前面には撮影機構を組み込んだ部分を突出した突出部１０と、パトローネを収納した部分を突出した突出部１１とが形成されており、突出部１０の内部には撮影レンズ１３が配置されている。ラベル４の所要部には開口が設けられ、フイルムカウンタ窓６，ファインダ窓７，突出部１０等が露呈されている。
【００１１】
図１はレンズ付きフイルムユニットの包装構成を示す斜視図である。包装袋１８で密封包装する前にレンズ付きフイルムユニット２の前面側に被せられる紙製のスペーサシート２０は、レンズ付きフイルムユニット２の前面を覆う支持面２１と、この支持面２１の両側に連設された端面２２，２３とからなっている。支持面２１と端面２２，２３との間の各々に折り目２４が入れられて、端面２２，２３はレンズ付きフイルムユニット２の上面と底面に沿うように折り曲げられている。
【００１２】
この支持面２１に斜線で示した表示部２１ａの表面に印刷（観光地の写真等）が施されている。この印刷のまわりには切り込み線としてミシン目２６が入れられて、このミシン目２６で表示部２１ａを切り離せるようになっている。
【００１３】
包装袋１８は、前面側にスペーサシート２０を被せたレンズ付きフイルムユニット２を密封包装するもので、プラスチック製のシート材を袋状にして構成している。包装袋１８には、スペーサシート２０の表示部２１ａを覆う部分に透明部３０が設けられ、この透明部３０の他の部分はレンズ付きフイルムユニット２の種類や用途、特徴等を表す印刷が施されて不透明になっている。包装袋１８よる包装は、前面側にスペーサシート２０を被せたレンズ付きフイルムユニット２を自動包装によって個別に収納後、開放端をエンドシールすることで密封して行われる。
【００１４】
図３は、内部にレンズ付きフイルムユニットをスペーサシートごと包み込んだ包装袋を表すものである。透明部３０から表示部２１ａの印刷が包装袋１８の外表に表れて、包装袋１８の外観デザインを構成している。包装袋１８は、ピロー包装の形態で、スペーサシート２０を前面側に被せたレンズ付きフイルムユニット２を気密に包み込んでおり、一方の突出片３１にはハンガー吊り下げ用の穴３２が設けられている。また、包装袋１８を開封しやすいように、突出片３１の端部が波型にカットされて波形部３３を形成している。突出片３１の上部から他方の突出片３２に向かって包装袋１８のセンターシール３６が延びており、波型部３３から包装袋１８を破くことで包装袋１８の上側が破かれる。
【００１５】
この包装状態では、支持面２１でレンズ付きフイルムユニット２の前面を覆い、端面２２，２３の先端縁がレンズ付きフイルムユニット２の上面及び下面に沿って背面まで達し、レンズ付きフイルムユニット２の前面側を覆う包装袋１８の一部が支持面２１によって内部から支えられるから、凹凸ができたり皺ができたりすることがなく、また、撮影レンズ１３がスペーサシート２０によって保護される。
【００１６】
図５は、上記包装袋１８の層構成を示すもので、同図において上側が外気に接する表面側、下側がレンズ付きフイルムユニット２に接する裏面側を表している。包装袋１８は、複数の透明なプラッチックフイルム層を積層したシート材で構成されており、表層側からＰＥＴ（ポリエチレンテレフタート）層４１、ＳｉＯ（酸化ケイ素）蒸着層４２、印刷インク層４３、接着剤４４、シーラント層４５の順に積層されている。このシート材は、真空下でＳｉＯｘを加熱蒸発させ、その蒸発を同じ真空下におかれたＰＥＴフイルムに凝縮させて表面側に薄膜のＳｉＯ蒸着層４２を形成している。ＳｉＯ蒸着層４２の裏面側の一部を除いて不透明な印刷を施して印刷インク層４３を形成している。印刷インク層４３の裏面側に、接着剤４４を介してＥＶＡ（エチレン酢酸ビニル共重合樹脂）フイルムを接着して透明なシーラント層４５を構成している。
【００１７】
この包装袋１８を構成するＰＥＴ層４１、ＳｉＯ蒸着層４２、接着剤４４、シーラント層４５のいずれもが良好な透明性をもつフイルムであるため、印刷が施されていない部分には透明部３０が透明なまま残される。こうした透明プラスチックフイルムとしては、例えば日本合成化学が製造する「ＧＬＥシートフィルム」（商品名）がある。
【００１８】
以下に、上記構成の作用を説明する。レンズ付きフイルムユニット２は、その組み立てが完了すると、レンズ付きフイルムユニット２の前面側に充分な乾燥処理を施したスペーサシート２０を被せて包装袋１８に個別に密閉包装される。スペーサシート２０は表示部２１ａの印刷の種類に係わらず、全てが同一の包装袋１８によって包装される。支持面２１を覆っている部分に透明部３０が形成されているから、そこから、表示部２１ａが包装袋１８の外表に表れて包装袋１８の外観を構成する。そのため、表示部２１ａの印刷を変更するだけで、効率的に、かつ安価に、包装袋１８の外観を異なるものにできるため、多品種少量生産に最適であり、また、包装袋１８の印刷版が１種類で済むため、低コストである。
【００１９】
包装袋１８に密封包装されたレンズ付きフイルムユニット２は、各小売店に出荷され、それぞれの店頭に吊り下げて展示される。購入者は、表示部２１ａの印刷を透明部３０から観察し、多種多様な印刷の中から好みの印刷が透明部３０から包装袋１８の外表に表れているもの選択して購入する。表示部２１ａの印刷は不特定多数の購入者に観察されるから、高い宣伝効果に預かることができる。撮影を行う際には、撮影者が波型部３３から包装袋１８を破いて開封し、レンズ付きフイルムユニット２をスペーサシート２０ごと取り出す。
【００２０】
表示部２１ａの印刷が気に入った場合は、図２に示すように、スペーサシート２０をミシン目２６に沿ってカットして表示部２１ａを切り離し、これを栞として利用したり、このレンズ付きフイルムユニット２で撮影した写真とともにアルバムに一緒に入れたりして活用することができるから、ゴミの減少に役立つ。
【００２１】
上述した包装袋１８では、従来のアルミニウムシートを用いたものに比べて約５倍の透湿度を有しているが、レンズ付きフイルムユニットとともに包装袋１８に内封した紙製のスペーサシート２０が吸湿材として作用しており、印刷の無いミシン目２６の切り口部分も吸湿性が高いから、アルミニウムシートを包装材に用いなくともレンズ付きフイルムユニット２の良好な品質を維持できる。
【００２２】
また、スペーサシート２０の厚みや幅を増してサイズを大きくし（例えば厚み0.35mm→1.0mm 、重さ2.6g→6.7gとする。) 、より吸湿性を高めるようにしてもよい。また、表示部を支持面２１から端面２２，２３に連なるように設けてもよく、この場合、端面２２，２３を覆っている部分まで透明部を延長して設け、端面２２，２３の模様も観察できるようにしてもよい。
【００２３】
また、スペーサシート２０の支持面２１に表示部２１ａとともにメモ欄を設けて撮影場所等を記入できるようにしたり、プリントサービス券を設けてプリント時に役立てられるようにしてもよい。また、透明部３０から露呈しない部分に、プレゼントの当落を表示するマークや番号や写真等を設けて、レンズ付きフイルムユニットの購入による新たな楽しみを付加してもよい。
【００２４】
以下に、本発明の別の実施形態を示す。図６に示すスペーサシート４０の支持面４１に斜線で示した表示部４１ａには、その表面にオリジナルのデザイン表示を印刷している。スペーサシート４０の表裏面は表示部４１ａ以外は無地になっている。表示部４１ａの裏面には点線４１ｂで囲った範囲にデザイン表示の表示内容や関連情報を表す説明表示を印刷しており、裏面を見ることでデザイン表示の表示内容や関連情報を知ることができる。支持面４１の両端部４１ｃ，４１ｄの無地部分には、メーカー名や商品名等が印刷されている。スペーサシート４０の端面４３，４４には、二点鎖線４５で囲った範囲に取扱説明や注意事項等を表す機能表示がそれぞれ印刷されている。スペーサシート４０の表示部４１ａには、端面４３，４４を分離するミシン目４２ａ，４２ｂと、端部４１ｃ，４１ｄを分離するミシン目４２ｃ，４２ｄとが設けられている。これらのミシン目４２ａ〜４２ｄをカットすることで表示部４１ａを切り離すことができる。
【００２５】
スペーサシート４０には、例えば表示部４１ａ表面に有名なホテルの写真が印刷され、裏面にこのホテルの特徴やホテル内のレストランやバーの案内，ホテルへのアクセス方法，連絡先等を印刷されている。また、表面に野球やサッカー等の有名スポーツ選手の写真を印刷し、裏面にこのスポーツ選手の成績，出身地や生年月日等の個人データを印刷したものや、表面に新幹線や特急，蒸気機関車等の鉄道の写真を印刷し、裏面にこの鉄道の最高速度，連結構成，運行距離や運行区間及びその所要時間等を印刷したもの等でもよい。
【００２６】
このスペーサシート４０は、図７に示すように、レンズ付きフイルムユニット２の前面側にデザイン表示が表れるように被せられ、レンズ付きフイルムユニットとともに包装袋１８で密封・包装される。表示部４１ａは透明部３０に対応する位置に設けられており、透明部３０を通して外部からデザイン表示を見ることができる。また、端面４３，４４の機能表示と端部４１ｃの印刷は包装袋１８の不透明部によって覆われる。包装袋１８を開封してレンズ付きフイルムユニット２を取り出すときに、表示部４１ａ欲しさでスペーサシート４０が取り出されることが多いため、包装袋１８にスペーサシート４０が残ったまま捨てられることが少なくなり、端面４３，４４の機能表示が読まれる機会が増す。
【００２７】
例えば有名スポーツ選手の写真が印刷された表示部４１ａが欲しい場合、機能表示の印刷やメーカー名や商品名等の印刷は不要となるため、ミシン目４２ａ〜４２ｄでカットして端面４３，４４及び端部４１ｃ，４１ｄを切り取って、表示部４１ａを切り離す。ミシン目４２ａ〜４２ｄを表示部４１ａに設けているから、表示部４１ａのまわりの無地部分が入らないように表示部３９ａを切り離すことができる。また、デザイン表示の縁が切れるが観賞に支障がでないのは勿論であり、ミシン目４２ａ〜４２ｄを説明表示を施した点線４１ｂで囲った範囲の外側に設けているから、ミシン目４２ａ〜４２ｄのカットにより説明表示が切れたりしない。
【００２８】
また、図示のように、オリジナル印刷が施された表示部４１ａを支持面４１から端面４３，４４に連なるように設けるだけでなく、支持面４２のみに設けてもよく、また、包装袋１８の透明部３０を小さくしてミシン目４２が隠れるようにしてもよい。
【００２９】
【発明の効果】
以上に説明したように、本発明によれば、包装材を構成するフイルム層の全てに透明フイルムを用い、スペーサシートの表面に表示を施し、シート材の一部に透明部を設け、密封した状態で透明部を通して表示が観察できる構成をとるため、同一デザインの包装袋を用い、スペーサシートの支持面の模様を変更するだけで、外観の異なる包装袋を提供することができる。
【００３０】
また、スペーサシートに切り込み線を入れて表示が施された部分を切り離せるようにしたので、切り離した表示部分を栞等に利用することができる。
【００３１】
更に、レンズ付きフイルムユニットの前面側を覆うシート材の一部に透明部を設けるとともに、この透明部に対応するスペーサシートの表裏面に外観デザインを構成するデザイン表示と、このデザイン表示の表示内容や関連情報を表す説明表示とをそれぞれ施し、スペーサシートの表裏面の少なくとも一方の面のシート材の不透明部に対応する部分に、レンズ付きフイルムユニットの取扱説明や使用上の注意を表す機能表示を施して、密封した状態で、レンズ付きフイルムユニットの前面側に表れるように被せたスペーサシートのデザイン表示がシート材の外部から透明部を通して観察でき、機能表示がシート材の不透明部によって覆われる構成をとるため、同一デザインの包装袋を用い、スペーサシートの支持面の模様を変更するだけで、外観の異なる包装袋を提供することができ、またスペーサシートに設けた取扱説明や使用上の注意が読まれる機会が増す。更に、スペーサシートの裏面に設けたデザイン表示の表示内容や関連情報を表す説明表示はレンズ付きフイルムユニットを購入しなければ見ることかできないため、購入者の購買意欲をそそり、商品競争力を向上させることができる。
【００３２】
スペーサシートにデザイン表示が施された部分に切り込み線を入れ、デザイン表示が施された部分を切り離すことができるようにしたので、デザイン表示のまわりの無地の部分が入って見苦しくなるのを防止できる。
【図面の簡単な説明】
【図１】レンズ付きフイルムユニットの包装構成を説明する斜視図である。
【図２】スペーサシートの斜視図である。
【図３】スペーサシートを被せたレンズ付きフイルムユニットを包装した包装袋の斜視図である。
【図４】レンズ付きフイルムユニットの斜視図である。
【図５】包装袋に用いたシート材の層構成を示すものである。
【図６】別のスペーサシートの斜視図である。
【図７】別のスペーサシートを用いてレンズ付きフイルムユニットを包装する場合の斜視図である。
【符号の説明】
２  レンズ付きフイルムユニット
１８  包装袋
２０  スペーサシート
２１  支持面
２１ａ  表示部
２６  ミシン目
３０  透明部
【図１】
0003766521.tif 000002
【図２】
0003766521.tif 000003
【図３】
0003766521.tif 000004
【図４】
0003766521.tif 000005
【図５】
0003766521.tif 000006
【図６】
0003766521.tif 000007
【図７】
0003766521.tif 000008